(57)【要約】【課題】溶接工程が少なく、簡易に構築することができる耐震性に優れる発酵槽とする。【解決手段】上部より有機廃棄物、家畜糞等の堆肥原料を投入し、これらを撹拌翼によって空気と混合しながら撹拌し、この堆肥原料について数日間の発酵を行なう発酵槽において、鋼矢板１の両端側の継手２を組合せて囲壁を形成し、この鋼矢板１の上端に張りめぐらせて鋼梁４を固着し、この鋼梁４に回動自在とし、下方に延設した回転軸５を軸支して、この回転軸に撹拌翼７を数段に配置し、底部には製造した堆肥を一方方向に排出する排出ベルトを備えた鋼矢板発酵槽の構成である。【選択図】          図１
2004267920.tif 000002
【特許請求の範囲】
【請求項１】
上部より有機廃棄物、家畜糞等の堆肥原料を投入し、これらを撹拌翼によって空気と混合しながら撹拌し、この堆肥原料について数日間の発酵を行なう発酵槽において、
鋼矢板の継手を組合せて囲壁を形成し、この鋼矢板の上端に張りめぐらせて鋼梁を固着し、この鋼梁に回動自在とし、下方に延設した回転軸を軸支して、この回転軸に撹拌翼を数段に配置し、底部には製造した堆肥を一方方向に排出する排出ベルトを備えたことを特徴とする鋼矢板発酵槽。
【請求項２】
一辺を開放した断面台形状の鋼矢板の開放された両端に配置した継手部分を係合して連接して周囲壁を形成し、４隅にコーナ部材で結合して、周囲を囲って周壁を形成し、この鋼矢板周壁で囲まれた内部に、天井に張りめぐらした鋼梁に回動自在に軸支して下方に延設した回転軸に複数の攪拌翼を配置し、この天井部分から有機廃棄物や牧場の家畜糞、敷き藁などの堆肥原料を混合して落下せしめ、
この内部で十分な撹拌熟成を行い、生成した堆肥をこの槽の底部から排出するようにしたことを特徴とする鋼矢板発酵槽。
【請求項３】
前記鋼矢板の両端の継手部内に止水剤が充填されていることを特徴とする請求項１または請求項２に記載の鋼矢板発酵槽。
【請求項４】
鋼矢板を張りめぐらした周壁の外周に補強部材として前記鋼矢板の長手方向に直交して周回するようにＨ鋼を配置溶接し、周壁を補強してあることを特徴とする請求項１乃至請求項３のいずれか１つに記載の鋼矢板発酵槽。
【請求項５】
前記鋼矢板を連接して囲壁を形成し、有機廃棄物や家畜糞、敷き藁などの固形または液状の混合物を集積攪拌する攪拌槽と、
前記有機廃棄物と木屑チップとを混合したモロミ状態の混合処理物が搬送され、この処理混合物を投入するホッパーと、
空気を導入する送風機に連通した通気路を備え、上部梁板に回転自在に支持された円筒管の回転軸と、
この内部に回動自在に配置した回転軸と、この回転軸に所定の間隔で多段に固着し、前記通気路に連通する送気管を備える複数枚の攪拌翼と、
発酵処理され、底部に堆積した堆肥を外部に搬送する搬送ベルトと、
前記鋼矢板を連接して囲壁を形成し、発酵処理により発生するガスを収集する排気管を接続し、かつ外気から遮断されたケーシングと、
を備え、外部から搬送された有機廃棄物の混合物が上部に配置した前記ホッパーから投入され、送風機により送られた空気を回転軸の円筒管内を経由して数段に設けた前記攪拌翼の送気管から噴出しながら該攪拌翼を回転して混合物を攪拌して発酵を促進し、底部に落下する堆肥化された有機廃棄物を前記搬送ベルトにより外部に排出することを特徴とする鋼矢板発酵槽。
【発明の詳細な説明】
【０００１】
【発明の属する技術分野】
この発明は、都市で発生する生ゴミ、牧場に多く発生する家畜糞などの有機廃棄物とともに木屑類とを混合した堆肥原料を発酵させる発酵槽の周壁が鋼矢板を配列してある鋼矢板発酵槽に関する。
【０００２】
【従来の技術】
従来の堆肥を製造する発酵槽は、円筒型が一般的であり、球形のものもある。これらは内部に配置した回転撹拌棒の関係で、円筒を横型にしたものが多い。
縦型発酵槽として頂部から堆肥原料を投下し、この発酵槽の中心に設けた回転軸に環状板を固着して、頂部から投下される堆肥原料を均一に分配するものが知られている。（特許文献１参照）。また鋼矢板を使用して内部からの水漏れを防ぐ為に鋼矢板に継手をつなぎ護岸壁を設置することが知られている（特許文献２参照）。
【０００３】
【特許文献１】実公昭６０−２８６４９号公報
【特許文献２】特許第３３０８０７０号公報
【０００４】
このような特許文献によって知られる発酵槽は、強度、耐久性などから円筒型が一般的で、溶接によって形成されるため攪拌翼を備えた回転軸は、上下に堆肥原料を撹拌する横型に数列配置した攪拌翼を備えるものであり、また、縦型においては１基乃至２基が普通であった。しかし、このようなものでは充分な堆肥が製造できず、発酵槽の組立てにおける周壁の溶接作業が大変であった。
【０００５】
【発明が解決しようとする課題】
このような従来の堆肥を製造する発酵槽は鋼板など数枚溶接によって連結し、円筒型に形成されるもので知られ、多くの提案がされているが何れも一長一短がある。従来の発酵槽においては、円筒に形成したキルン構造が一般的であるが、縦型に円筒を配置したものにおいては鋼板によって円筒型に溶接して製造されていた。この溶接作業が非常に大変であった。
本発明の課題は、溶接工程が少なく、簡易に構築することができる耐震性に優れる鋼矢板発酵槽を提供することであるある。
また、本発明の課題は牧場などで大量に発生する家畜糞や敷き藁と木屑とを混合して無臭の衛生的な肥料を製造する耐震性に優れる簡易に組み立てられる鋼矢板発酵槽を提供することである。
【０００６】
【課題を解決するための手段】
この発明の前記課題は以下の構成によって達成できる。
上部より有機廃棄物、家畜糞等の堆肥原料を投入し、これらを撹拌翼によって空気と混合しながら撹拌し、この堆肥原料について数日間の発酵を行なう発酵槽において、鋼矢板の継手を組合せて囲壁を形成し、この鋼矢板の上端に張りめぐらせて鋼梁を固着し、この鋼梁に回動自在とし、下方に延設した回転軸を軸支して、この回転軸に撹拌翼を数段に配置し、底部には製造した堆肥を一方方向に排出する排出ベルトを備えた鋼矢板発酵槽の構成である。
【０００７】
本発明の前記課題は、一辺を開放した断面台形状の鋼矢板の開放された両端に配置した継手部分を係合して数枚連接して周囲壁を形成し、４隅にコーナ部材で結合して、周囲を囲って周壁を形成し、この鋼矢板周壁で囲まれた内部に、天井に張りめぐらした鋼梁に回動自在に軸支して下方に延設した回転軸に複数の攪拌翼を配置し、この天井部分から有機廃棄物や牧場の家畜糞、敷き藁などの堆肥原料を混合して落下せしめ、この内部で十分な撹拌熟成を行い、生成した堆肥をこの槽の底部から排出するようにした鋼矢板発酵槽の構成によって達成できる。
【０００８】
また、前記課題は、前記鋼矢板の両端の継手部内に止水剤が充填されている構成、及び鋼矢板を張りめぐらした周壁の外周に補強部材として前記鋼矢板の長手方向に直交して周回するようにＨ鋼を配置溶接し、周壁を補強してある構成によって達成できる。
【０００９】
更に、前記課題は、前記鋼矢板を連接して囲壁を形成し、有機廃棄物や家畜糞、敷き藁などの固形または液状の混合物を集積攪拌する攪拌槽と、前記有機廃棄物と木屑チップとを混合したモロミ状態の混合処理物が搬送され、この処理混合物を投入するホッパーと、空気を導入する送風機に連通した通気路を備え、上部梁板に回転自在に支持された円筒管の回転軸と、この内部に回動自在に配置した回転軸と、この回転軸に所定の間隔で多段に固着し、前記通気路に連通する送気管を備える複数枚の攪拌翼と、発酵処理され、底部に堆積した堆肥を外部に搬送する搬送ベルトと、前記鋼矢板を連接して囲壁を形成し、発酵処理により発生するガスを収集する排気管を接続し、かつ外気から遮断されたケーシングと、を備え、外部から搬送された有機廃棄物の混合物が上部に配置した前記ホッパーから投入され、送風機により送られた空気を回転軸の円筒管内を経由して数段に設けた前記攪拌翼の送気管から噴出しながら該攪拌翼を回転して混合物を攪拌して発酵を促進し、底部に落下する堆肥化された有機廃棄物を前記搬送ベルトにより外部に排出する鋼矢板発酵槽の構成である。
【００１０】
本発明の前記課題は、前記回転軸の攪拌翼が隣接する回転軸の攪拌翼と重なるように配置され、各段毎の攪拌翼が同一方向又は反対方向に回転してなる構成および隣接する回転軸の攪拌翼が重なるように配置され、該攪拌翼を数段に接合した前記回転軸を６基配列してある発酵槽である構成によって達成できる。
【００１１】
本発明の鋼矢板発酵槽は、回転軸が上部梁に支持されるだけであるから、攪拌翼を固着した回転軸が宙ずり状態で回転するので、下端の軸位置を遊嵌して固定（吊戸の下端部と同様な固定）し、発酵槽内の有機廃棄物混合物の量によって攪拌翼の回転が阻害されることがない。また、発酵槽内において一基の回転軸ではなく、６基の回転軸を配置してあるから一個の発酵槽によっても充分な有機廃棄物の処理が可能である。
この発酵槽内においては家畜糞尿に含まれる好気性繊維分解菌、放射菌、酵母菌、光合成菌などの有機性物質の分解腐蝕化に役立つ微生物や有機菌が混在しており、木屑破砕物と混合することにより有機物の分解が促進され、無臭無害の肥料となる。このようにして得られた堆肥は通常の堆肥と同様に、土壌に混入して土壌表面に散布して使用することが出来る。この堆肥は無臭であるから袋に詰めて市販することができ、この堆肥を野菜や草花の肥料として散布して使用できる。
【００１２】
本発明では一個の発酵槽内に６基の回転軸を配置し、上部に設けたホッパーから供給される有機廃棄物と木屑チップとを大量にモロミ状態で処理することができ、しかも、この６基の攪拌翼を備えた回転軸を配置した発酵槽を１号槽から６号槽まで連接して配置し、これら発酵槽内の発酵を切り返し使用することにより、順番に処理発酵を行えば、充分な乾燥処理が行え、サラサラした肥料を製造することができる。この堆肥を袋詰めして市販することができる。
例えば、１号槽、２号槽、３号槽に投入されたものを１ヶ月で処理し、４，５号槽に切り返しながら投入することによりより一層の分解乾燥を行うことができる。
【００１３】
本発明の鋼矢板発酵槽は回転軸の駆動源として電動モータ、又は油圧駆動モータを使用するが、この駆動に必要な電気は、発酵槽内で発生するメタンガスなどの排気ガスを利用した発電装置によって電力を供給することができる。
【００１４】
【発明の実施の形態】
この発明に係る鋼矢板発酵槽の実施の形態を図面に基づいて詳細に説明する。
図１はこの発明鋼矢板発酵槽の実施形態の１基の説明斜視図である。図２はこの発明鋼矢板発酵槽の発酵槽の実施形態の２基連接した状態を示すＡ−Ａ断面上面図である。図３は図２の一部切欠側面図である。図４は本発明の鋼矢板発酵槽を構成する鋼矢板の斜視図である。図５は鋼矢板の継手構造を示す説明図である。
【００１５】
この発明の鋼矢板発酵槽について、図面に示す実施の形態に基づいて説明する。
図１、図４に示されるように、一辺が開放された断面台形状の鋼矢板１の両側縁に形成した継手２，２で隣接する鋼矢板１を係合して周壁を形成してある。この鋼矢板１の継手２部分には後述するように合成樹脂などの撥水材が充填してある。鋼矢板１の周壁の隅部には柱６を設けて鋼矢板１の切断面を溶接してある。囲いを形成した鋼矢板１の外側位置に直交するようにＨ鋼３を周回し、このＨ鋼３の両端はコーナ部で溶接し、このＨ鋼３を所定間隔で配置してある。鋼矢板１の周壁の上端に鋼梁４が架設してあり、この鋼梁４に回転軸５が支持されている。
【００１６】
鋼梁４に軸支した上端から回転軸５の下方に延長した部分に数段に攪拌翼７を固着してある。この回転軸５の内部には前記撹拌翼７から噴出する空気の通路８が形成してあり、槽外部に配置した送気装置から送られた空気をこの通路を通り、攪拌翼７に設けた多数の噴出口より噴出するようになっている。
周壁が形成された鋼矢板１の下端部分に篩板が摺動自在に設置し、この篩板の下側に排出ベルトが配置してある。
【００１７】
このように構成してある鋼矢板発酵槽は、従来のような周壁を板状に形成したものに比較して市販の鋼矢板１を簡易に係合して形成することができるので廉価に製造することができるばかりではなく、周壁が頑丈に形成でき、耐震性に優れる。しかも鋼矢板で形成される発酵槽内に数基の撹拌翼７を備えた回転軸５が設けられているので、堆肥原料を充分に混合することができる。
本発明の発酵槽は、図１に示されるように発酵槽内に１個の回転軸ではなく６基の回転軸を設置してあるので、堆肥原料と空気との撹拌効率がよく、大量に堆肥原料を処理することができる。この発酵槽内において数日間発酵熟成させることにより家畜糞等の悪臭は完全に除去することができ、肥料として無臭であり、肥料として栄養価の高い堆肥が得られる。
本発明の鋼矢板発酵層は、特に、鋼矢板１によって構築されるから耐震性に優れ、充分な防水構造に形成することができる。
【００１８】
本発明の発酵槽の鋼矢板１の継手２部分に使用する撥水材としては一般的に知られる合成樹脂が使用できるが、特に、吸水膨張型組成物が好ましい。例えば、ウレタン樹脂に砂、砂利、砕石、天然骨材などと混合したものを継手２の係合部分に流し込んで使用する。このようなものは吸水して膨張するので十分な撥水性を得ることができる。
【００１９】
このような吸水膨張型組成物は、５〜６Ｋｇｆ／ｃｍ２水圧に耐えることができるから鋼矢板発酵槽において、長期間にける水漏れを防止することができる。そのため堆肥の製造に適している。
【００２０】
【発明の効果】
本発明の鋼矢板発酵槽は、地域環境を汚染する畜産施設で発生する家畜糞尿や都市の生ゴミ等の大量に発生する有機廃棄物を木屑と共に混合して短期間に堆肥化することができる。特に、この発酵槽は鋼矢板の継手部分を係合して周壁を形成してあるから簡易に組み立てられ、耐震性に優れた発酵槽を構築することができる。
【図面の簡単な説明】
【図１】この発明鋼矢板発酵槽の実施形態の１基の説明斜視図である。
【図２】この発明鋼矢板発酵槽の発酵槽の１実施の形態の２基連接した状態を示す側面図である。
【図３】図２のＡ−Ａ断面上面図である。
【図４】本発明の鋼矢板発酵槽を構成する鋼矢板の斜視図である。
【図５】本発明の鋼矢板発酵槽に使用する鋼矢板の継手構造を示す説明図である。
【符号の説明】
１            鋼矢板
２            継手
３            Ｈ鋼
４            鋼梁
５            回転軸
６            柱
７            撹拌翼
【図１】
2004267920.tif 000003
【図２】
2004267920.tif 000004
【図３】
2004267920.tif 000005
【図４】
2004267920.tif 000006
【図５】
2004267920.tif 000007